(57)【特許請求の範囲】
【請求項１】
第１の建物ユニット１と、前記第１の建物ユニット１に一面が面一となるように並設され、前記一面に対向する面側に、第１の建物ユニット１よりも外方に突出した突出部を備える第２の建物ユニット２と、前記第１の建物ユニット１及び第２の建物ユニット２の前記一面側にそれぞれ配置された第３の建物ユニット３及び第４の建物ユニット４と、前記第１〜第４の建物ユニットの上に積層された上階ユニットとが連結部材１７，８により連結された建物ユニットの連結構造であって、
前記第１の建物ユニット１及び前記第２の建物ユニット２と、前記第３の建物ユニット３及び前記第４の建物ユニット４との間にそれぞれ間隔が設けられ、前記第１の建物ユニット１及び第２の建物ユニット２と、前記第３の建物ユニット３及び第４の建物ユニット４との間には、前記第１と第２の建物ユニット及び第３と第４の建物ユニットの間の間隔よりも更に広い間隔が設けられており、
前記連結部材１７は、第１の建物ユニット１と第２の建物ユニット２の間隔を設けて隣接する上縁部同士及び第３の建物ユニット３と第４の建物ユニット４の間隔を設けて隣接する上縁部同士を第１の建物ユニットの外側端部から第２及び第４の建物ユニットの両外側端部まで一体に連結し、前記上階建物ユニットとを連結する連結部１７aと、前記連結部から第２の建物ユニット２の前記突出部の外側端部まで延出して当該突出部を補強する補強部１７ｂとを備え、
更に、互いに広い間隔を設けて隣接する前記第１の建物ユニット１と第３の建物ユニット３及び前記第２の建物ユニット２と第４の建物ユニット４の各内側端１eと３e及び２eと４eとの間には、連結部材８を備えていることを特徴とする建物ユニットの連結構造。
【発明の詳細な説明】
【技術分野】
【０００１】
本発明は、建物ユニットの連結構造に関する。
【背景技術】
【０００２】
従来、柱と床梁と天井梁を箱型に接合し、柱と天井梁と床梁で形成される箱状のフレームへ天井面材、床面材および間仕切壁等の内装材、外壁等の外装材等を工場において組付けた建物ユニットを建築現場において左右上下に隣接設置することにより構築されるユニット式建物が知られている。このようなユニット式建物の建築作業は、工場において製造された建物ユニットを建築現場において連結するだけでほぼ完了する。そのため、建物ユニットを用いた建築方法は、建築現場における作業の大幅な削減、工期の短縮化となるため、昨今さかんになされている。
【０００３】
また、建物ユニットの間を水平方向に所定間隔あけて並設することにより、この所定間隔部分を居室等の延長として利用し、できるだけ広い床面積を確保する方法が知られている。この場合、所定間隔あけて並設された建物ユニットの柱の上下いずれかの端部同士をプレート材により連結することにより、各建物ユニットが連結される（特許文献１）。
また、幅の異なる建物ユニットが並設される場合には、幅の異なる建物ユニット同士の隣接する柱の上下いずれかの端部同士を略L字形のプレート部材により連結する方法が知られている（特許文献２）。
また、下側建物ユニットをそれぞれの角隅部を寄せ合わせて配置し、この下側建物ユニットの上に積層された上階建物ユニットを備え、角隅部の柱を省略することにより、大きな居室空間を形成させる方法が知られている。この場合、角隅部を補強する補強梁と補強梁に隣接する建物ユニットの柱の上下いずれかの端部同士を連結する連結部材とが一体化した補強梁により、各建物ユニットは連結される（特許文献３）。
【０００４】
ところで、図６及び図７に示すように、建物ユニット６１と、建物ユニット６１に一面が面一となるように並設され、一面に対向する面側に、建物ユニット６１よりも外方に突出した突出部６２ａを備える建物ユニット６２と、建物ユニット６１及び建物ユニット６２の一面側にそれぞれ所定間隔あけて配置された建物ユニット６３及び建物ユニット６４と、建物ユニット６１〜６４の上に積層された上階建物ユニット（図示省略）とを連結する場合、特許文献２又は３の方法では、所定間隔あけて配置された建物ユニット６１及び建物ユニット６２と建物ユニット６３及び建物ユニット６４との間を連結することができない。また、特許文献１の方法では、建物ユニット６１より突出する突出部６２ａの強度が弱くなるため、図６に示すように、控え梁６５を天井梁６２ｂから天井梁６２ｂに対向する天井梁６２ｃへ建物ユニット６１の天井梁６１ａと連続するように架設したり、また、例えば、図７に示すように、建物ユニット６２の天井梁６２ｂの下に間柱６６を設ける必要がある。
【発明の開示】
【発明が解決しようとする課題】
【０００５】
しかしながら、控え梁６５や間柱６６を設けるような補強を行うと、建物ユニット６２の居住空間内に控え梁６５または間柱６６が突出するため、梁下天井高が低くなる、吹き抜け、階段の設置等の設計の自由度を阻害する、居住空間が狭くなる、家具配置の便宜性が悪くなる等の問題が生じる。
【０００６】
本発明の課題は、並設された幅の異なる建物ユニットと所定間隔あけて配置された建物ユニットを居住空間の広さや設計の自由度を保ちつつ補強できる建物ユニットの連結構造を提供することである。
【課題を解決するための手段】
【０００７】
上記課題を解決するために、本願発明は第１の建物ユニット１と、前記第１の建物ユニット１に一面が面一となるように並設され、前記一面に対向する面側に、第１の建物ユニット１よりも外方に突出した突出部を備える第２の建物ユニット２と、前記第１の建物ユニット１及び第２の建物ユニット２の前記一面側にそれぞれ配置された第３の建物ユニット３及び第４の建物ユニット４と、前記第１〜第４の建物ユニットの上に積層された上階ユニットとが連結部材１７，８により連結された建物ユニットの連結構造であって、前記第１の建物ユニット１及び前記第２の建物ユニット２と、前記第３の建物ユニット３及び前記第４の建物ユニット４との間にそれぞれ間隔が設けられ、前記第１の建物ユニット１及び第２の建物ユニット２と、前記第３の建物ユニット３及び第４の建物ユニット４との間には、前記第１と第２の建物ユニット及び第３と第４の建物ユニットの間の間隔よりも更に広い間隔が設けられており、  前記連結部材１７は、第１の建物ユニット１と第２の建物ユニット２の間隔を設けて隣接する上縁部同士及び第３の建物ユニット３と第４の建物ユニット４の間隔を設けて隣接する上縁部同士を第１の建物ユニットの外側端部から第２及び第４の建物ユニットの両外側端部まで一体に連結し、前記上階建物ユニットとを連結する連結部１７aと、前記連結部から第２の建物ユニット２の前記突出部の外側端部まで延出して当該突出部を補強する補強部１７ｂとを備え、更に、互いに広い間隔を設けて隣接する前記第１の建物ユニット１と第３の建物ユニット３及び前記第２の建物ユニット２と第４の建物ユニット４の各内側端１eと３e及び２eと４eとの間には、連結部材８を備えていることを特徴とする建物ユニットとする。
【発明の効果】
【００１６】
本発明によれば、連結部材１７は、第３の建物ユニット３及び第４の建物ユニット４の隣接する上縁部３ｃ，４ｃの外側端部３ａ，４ａまで延出しているので、第１の建物ユニット１及び第２の建物ユニット２の隣接する上縁部同士１ｃ，２ｃと第３の建物ユニット３と第４の建物ユニット４の隣接する上縁部３ｃ，４ｃの内側端部同士３ｂ，４ｂとの連結のみならず、第３の建物ユニット３と第４の建物ユニット４の隣接する上縁部同士３ｃ，４ｃを含めて一つの連結部材１７により連結することができる。
特に、第１の建物ユニット１及び第２の建物ユニット２の隣接する上縁部同士１ｃ，２ｃと第３の建物ユニット３及び第４の建物ユニット４の隣接する上縁部同士３ｃ，４ｃの全域が連結部材１７により補強されることとなって、第１〜第４の建物ユニット１〜４と上階建物ユニット１３・・・とをより強固に連結することができる。
【発明を実施するための最良の形態】
【００２３】
以下、図面を参照して、本発明に係る建物ユニットの連結構造の実施の形態を詳細に説明する。
【００２４】
図１は、本発明の第１の実施形態に係る連結部材を用いて建物ユニットを連結することにより構築されたユニット式建物１００の斜視図である。
本発明の第１の実施形態に係るユニット式建物１００は、例えば、図１に示すように、第１の建物ユニット１と、第１の建物ユニット１に一面が面一となるように並設され、一面に対向する面側に、第１の建物ユニット１よりも外方に突出した突出部２ｆを備える第２の建物ユニット２と、第１の建物ユニット１及び第２の建物ユニット２の一面側にそれぞれ所定間隔あけて配置された第３の建物ユニット３及び第４の建物ユニット４と、第１〜第４の建物ユニット１〜４の上に積層された上階建物ユニット１３・・・とを備えている。
【００２５】
これらの建物ユニットは、例えば、図１に示すように、四本の床梁１０・・・からなる矩形フレームとこの床梁１０・・・からなる矩形フレームの四隅に立設される柱１１・・・とこの四隅の柱１１・・・の上に載置される四本の天井梁１２・・・からなる矩形フレームとから形成される箱型のフレームへ、天井面材、床面材及び間仕切壁等の内装材、外壁等の外装材等が工場において組付けられることにより、形成される。
【００２６】
四隅の柱１１・・・と四本の天井梁１２・・・及び床梁１０・・・とは、例えば、図１に示すように、それぞれ柱頭接合部材６及び柱脚接合部材５により接合される。
柱頭接合部材６は、図２に示すように、例えば、柱１１の上端に載置されるプレート６ａと、このプレート６ａと上下方向に間隔を隔てて柱１１を貫通して配置されるプレート６ｂと、プレート６ａと６ｂの間を連結する断面Ｌ字形の連結材６ｃと、プレート６ａと６ｂの間において連結材６ｃと連結されて、柱１１と同じ矩形断面形状を有する断面L字形の仕切り材６ｄと、を連結することにより構成されている。柱頭接合部材６の上面には、連結部材７〜９を該柱頭接合部材６上に載置する位置及び上階建物ユニット１３の柱脚接合部材５を載置する位置を決めるための位置決めピン６Ａと、連結部材７〜９及び上階建物ユニット１３の柱脚接合部材５及び柱頭接合部材６を緊結するための挿通孔６Ｂとが設けられている。
柱脚接合部材５は柱頭接合部材６を上下反転させたものと同様の形状をしており、該柱脚接合部材５の下面には、柱頭接合部材６上に載置する位置又は基礎１０１上のベースプレートに対して各建物ユニットを載置する位置を決めるための位置決め孔（図示省略）と、柱頭接合部材６又は基礎１０１上に緊結するための挿通孔５Ｂとが設けられている。
【００２７】
そして、工場において製造された建物ユニットは建築現場へ運搬された後、建築現場において基礎１０１上に左右上下に隣接設置されることにより、ユニット式建物１００が構築される。
【００２８】
本発明の第１の実施形態における第１〜第４の建物ユニット１〜４は、例えば、基礎１０１上のベースプレート（図示省略）の位置決めピン（図示省略）を柱脚接合部材５の位置決め孔（図示省略）に挿通し、アンカー（図示省略）を柱脚接合部材５の挿通孔５Ｂに挿通することにより基礎１０１上に固定される。
そして、第１〜第４の建物ユニット１〜４の上に上階建物ユニット１３・・・が連結部材７〜９により連結されて、積層される。
【００２９】
また、ユニット式建物１００は、上述のように設置された上階建物ユニット１３・・・の上部に形成される屋根（図示省略）等を備えて構築される。
【００３０】
連結部材７〜９は、例えば、鉄等の金属等の剛性材料からなる平板状の部材であって、柱１１と床梁１０とを接合する柱脚接合部材５と柱１１と天井梁１２とを接合する柱頭接合部材６とを介して上下左右の建物ユニットを連結する。
【００３１】
より具体的には、図１及び図２に示すように、本発明に係る連結部材としての第１の連結部材７は、例えば、第１の建物ユニット１の第２の建物ユニット２に隣接する上縁部１ｃの外側端部１ａから第３の建物ユニット３の第４の建物ユニット４に隣接する上縁部３ｃの内側端部３ｂに渡って設けられ、且つ、上縁部１ｃ及び上縁部３ｃの内側端部３ｂから第２の建物ユニット２の第１の建物ユニット１に隣接する上縁部２ｃ及び第４の建物ユニット４の第３の建物ユニット３に隣接する上縁部４ｃの内側端部４ｂに架設されて上縁部１ｃ及び上縁部３ｃの内側端部３ｂと上縁部２ｃ及び上縁部４ｃの内側端部４ｂとを連結するとともに、上階建物ユニット１３・・・の下縁部１３ａを連結する連結部７ａと、連結部７ａから上縁部２ｃの外側端部２ａまで延出して突出部２ｆを補強する補強部７ｂとを備える略Ｌ字形の平板である。また、第１の連結部材７は、第１の連結部材７を柱頭接合部材６上に載置する位置を決める位置決め孔７Ａと、第１の連結部材７を柱頭接合部材６及び上階建物ユニット１３の柱脚接合部材５と緊結するための挿通孔７Ｂとを備えている。
そして、図２に示すように、第１の建物ユニット１及び第２の建物ユニット２の隣接する上縁部１ｃ，２ｃの外側端部１ａ，２ａの柱頭接合部材６，６及び建物ユニット１〜４の突き合わされたコーナー部１０２の柱頭接合部材６・・・の位置決めピン６Ａ・・・を第１の連結部材７の位置決め孔７Ａ・・・及び上階建物ユニット１３・・・の柱脚接合部材５・・・の位置決め孔（図示省略）へ嵌合する。つぎに、第１の建物ユニット１及び第２の建物ユニット２の隣接する上縁部１ｃ，２ｃの外側端部１ａ，２ａの柱頭接合部材６，６及び第１〜第４の建物ユニット１〜４の突き合わされたコーナー部１０２の柱頭接合部材６・・・の挿通孔６Ｂ・・・と第１の連結部材７の挿通孔７Ｂ・・・と上階建物ユニット１３・・・の柱脚接合部材５・・・の挿通孔５Ｂ・・・とに緊締具としてのボルト７０Ａ・・・を挿通してナット７０Ｂ・・・により固定することによって、上下左右の建物ユニットが連結される。
【００３２】
第２の連結部材８は、第１の連結部材７と同様の素材からなる矩形の平板であって、位置決め孔（図示省略）と、挿通孔（図示省略）とを備えている。そして、第１の建物ユニット１の第２の建物ユニット２に隣接していない上縁部１ｄの内側端部１ｅと第３の建物ユニット３の第４の建物ユニット４に隣接していない上縁部３ｄの内側端部３ｅの柱頭接合部材６，６の位置決めピン６Ａ・・・を第２の連結部材８の位置決め孔（図示省略）及び上階建物ユニット１３，１３の柱脚接合部材５，５の位置決め孔（図示省略）へ嵌合し、第１の建物ユニット１の内側端部１ｅと第３の建物ユニット３の内側端部３ｅの柱頭接合部材６，６の挿通孔６Ｂ，６Ｂと第２の連結部材８の挿通孔（図示省略）及び上階建物ユニット１３，１３の柱脚接合部材５，５の挿通孔５Ｂ，５Ｂへボルト７０Ａ，７０Ａを挿通してナット７０Ｂ，７０Ｂにより固定することによって、第１と第３の建物ユニット１，３及び上階建物ユニット１３，１３が連結される。
第２の建物ユニット２の第１の建物ユニット１に隣接していない上縁部２ｄの内側端部２ｅと第４の建物ユニット４の第３の建物ユニット３に隣接していない上縁部４ｄの内側端部４ｅと上階建物ユニット１３，１３も第２の連結部材８により同様にして連結される。
【００３３】
また、第３の連結部材９は、第１の連結部材７と同様の素材からなる矩形の平板であって、位置決め孔９Ａと挿通孔９Ｂを備えており、第３の建物ユニット３と第４の建物ユニット４の隣接する上縁部３ｃ，４ｃの外側端部３ａ，４ａの柱頭接合部材６，６の位置決めピン６Ａ・・・を第３の連結部材９の位置決め孔９Ａ・・・及び上階建物ユニット１３，１３の柱脚接合部材５，５の位置決め孔（図示省略）へ嵌合し、外側端部３ａ，４ａの柱頭接合部材６，６の挿通孔６Ｂ，６Ｂと第３の連結部材９の挿通孔９Ｂ，９Ｂ及び上階建物ユニット１３，１３の柱脚接合部材５，５の挿通孔５Ｂ，５Ｂとにボルト７０Ａ，７０Ａを挿通してナット７０Ｂ，７０Ｂにより固定することによって、第３の建物ユニット３と第４の建物ユニット４及び上階建物ユニット１３，１３が連結される。
【００３４】
以上説明した第１の実施形態に係るユニット式建物１００の建物ユニットの連結構造によれば、第１の連結部材７は、第１の建物ユニット１と第２の建物ユニット２の隣接する上縁部同士１ｃ，２ｃ及び第３の建物ユニット３と第４の建物ユニット４の隣接する上縁部３ｃ，４ｃの内側端部同士３ｂ，４ｂとを連続して連結し、且つ、上階建物ユニット１３・・・とを連結するとともに、補強部７ｂにより、突出部２ｆを補強するので、第２の建物ユニット２内に控え柱や間柱を設けずとも突出部２ｆの補強がなされることとなって、第２の建物ユニット２における居住空間の広さや設計の自由度を保ちつつ補強も行って、並設された幅の異なる第１の建物ユニット１及び第２の建物ユニット２と、所定間隔あけて配置された第３の建物ユニット３及び第４の建物ユニット４と、上階建物ユニット１３・・・とを第１の連結部材７により連結することができる。
特に、第１の建物ユニット１の上縁部１ｃ及び第２の建物ユニット２の上縁部２ｃの全域が第１の連結部材７により補強されることとなって、第１の建物ユニット１と第２の建物ユニット２とをより強固に連結することができる。
また、第１の連結部材７の形状は略Ｌ字形の剛性板であるため、その構造を簡単なものとすることができる。従って、さほどコストをかけずに第１の連結部材７を作製することができる。
【００３５】
（第２の実施形態）
本発明の第２の実施形態に係るユニット式建物１００ａは、図３に示すように、第１の連結部材１７（連結部材）の構成のみが第１の実施形態のユニット式建物１００と異なるため、第１の実施形態のユニット式建物１００と同様の構成については、同一符号を付すとともに、その説明を省略する。
そして、第１〜第４の建物ユニット１〜４及び上階建物ユニット１３・・・は、図３に示すように、本実施形態に係る第１の連結部材１７と第２の連結部材８等で連結される。
【００３６】
第１の連結部材１７は、例えば、第１の建物ユニット１の第２の建物ユニット２に隣接する上縁部１ｃの外側端部１ａから第３の建物ユニット３の第４の建物ユニット４に隣接する上縁部３ｃの外側端部３ａに渡って設けられ、且つ、上縁部１ｃ及び上縁部３ｃから第２の建物ユニット２の第１の建物ユニット１に隣接する上縁部２ｃ及び第４の建物ユニット４の第３の建物ユニット３に隣接する上縁部４ｃに架設されて上縁部１ｃ及び上縁部３ｃと上縁部２ｃ及び上縁部４ｃとを連結するとともに、上階建物ユニット１３・・・の下縁部１３ａを連結する連結部１７ａと、連結部１７ａから上縁部２ｃの外側端部２ａまで延出して突出部２ｆを補強する補強部１７ｂとを備える略Ｌ字形の平板である。また、第１の連結部材１７は、第１の連結部材１７を柱頭接合部材６上に載置する位置を決める位置決め孔１７Ａと、第１の連結部材１７を柱頭接合部材６及び上階建物ユニット１３の柱脚接合部材５と緊結するための挿通孔１７Ｂとを備えている。
まず、第１の建物ユニット１及び第２の建物ユニット２の隣接する上縁部１ｃ，２ｃの外側端部１ａ，２ａの柱頭接合部材６，６及び第１〜第４の建物ユニット１〜４の突き合わされたコーナー部１０２の柱頭接合部材６・・・及び第３建物ユニット３及び第４の建物ユニット４の隣接する上縁部３ｃ，４ｃの外側端部３ａ，４ａの柱頭接合部材６，６の位置決めピン６Ａ・・・を第１の連結部材１７の位置決め孔（図示省略）及び上階建物ユニット１３・・・の柱脚接合部材５・・・の位置決め孔（図示省略）へ嵌合する。つぎに、第１の建物ユニット１及び第２の建物ユニット２の隣接する上縁部１ｃ，２ｃの外側端部１ａ，２ａの柱頭接合部材６，６及び第１〜第４の建物ユニット１〜４の突き合わされたコーナー部１０２の柱頭接合部材６・・・及び第３建物ユニット３及び第４の建物ユニット４の隣接する上縁部３ｃ，４ｃの外側端部３ａ，４ａの柱頭接合部材６，６の挿通孔６Ｂ・・・と第１の連結部材１７の挿通孔（図示省略）と上階建物ユニット１３・・・の柱脚接合部材５・・・の挿通孔５Ｂ・・・とに緊締具としてのボルト７０Ａ・・・を挿通してナット７０Ｂ・・・により固定することによって、上下左右の建物ユニットが連結される。
【００３７】
以上説明した第２の実施形態に係るユニット式建物１００ａの建物ユニットの連結構造によれば、第１の連結部材１７は、連結部１７ａは、第３の建物ユニット３及び第４の建物ユニット４の隣接する上縁部３ｃ，４ｃの外側端部３ａ，４ａまで延出しているので、第１の建物ユニット１及び第２の建物ユニット２の隣接する上縁部同士１ｃ，２ｃと第３の建物ユニット３と第４の建物ユニット４の隣接する上縁部３ｃ，４ｃの内側端部同士３ｂ，４ｂとの連結のみならず、第３の建物ユニット３と第４の建物ユニット４の隣接する上縁部同士３ｃ，４ｃを含めて第１の連結部材１７により連結することができる。
また、第１の建物ユニット１及び第２の建物ユニット２の隣接する上縁部同士１ｃ，２ｃと第３の建物ユニット３及び第４の建物ユニット４の隣接する上縁部同士３ｃ，４ｃの全域が第１の連結部材１７により補強されることとなって、第１〜第４の建物ユニット１〜４と上階建物ユニット１３・・・とをより強固に連結することができる。。
また、第１の連結部材１７の形状は略Ｌ字形の剛性板であるため、その構造を簡単なものとすることができる。従って、さほどコストをかけずに第１の連結部材１７を作製することができる。
【００３８】
（第３の実施形態）
本発明の第３の実施形態に係るユニット式建物１００ｂは、図４に示すように、第１の連結部材１７１の構成のみが第２の実施形態のユニット式建物１００ａと異なるため、第２の実施形態のユニット式建物１００ａと同様の構成については、同一符号を付すとともに、その説明を省略する。
そして、第１〜第４の建物ユニット１〜４及び上階建物ユニット１３・・・は、第１の連結部材１７１と第２の連結部材８等で連結される。
【００３９】
本発明に係る連結部材としての第１の連結部材１７１は、図４に示すように、第２の実施形態に係る第１の連結部材１７と同様の形状を有する略Ｌ字形の平板であって、第１の建物ユニット１及び第２の建物ユニット２と、第３の建物ユニット３及び第４の建物ユニット４との間に位置する部分に当該第１の連結部材１７１の幅方向端部が延出して折り曲げられ、他の部分よりも強度が高められて強化された強化部としての折曲部１７１Ｃを備えている。
また、第１の連結部材１７１は、第１の連結部材１７１を柱頭接合部材６上に載置する位置を決める位置決め孔１７１Ａと、第１の連結部材１７１を柱頭接合部材６及び上階建物ユニット１３の柱脚接合部材５と緊結するための挿通孔１７１Ｂとを備えている。
まず、図４に示すように、第１の建物ユニット１及び第２の建物ユニット２の隣接する上縁部１ｃ，２ｃの外側端部１ａ，２ａの柱頭接合部材６，６及び第１〜第４の建物ユニット１〜４の突き合わされたコーナー部１０２の柱頭接合部材６・・・及び第３建物ユニット３及び第４の建物ユニット４の隣接する上縁部３ｃ，４ｃの外側端部３ａ，４ａの柱頭接合部材６，６の位置決めピン６Ａ・・・を第１の連結部材１７１の位置決め孔１７１Ａ・・・及び上階建物ユニット１３・・・の柱脚接合部材５・・・の位置決め孔（図示省略）へ嵌合する。つぎに、第１の建物ユニット１及び第２の建物ユニット２の隣接する上縁部１ｃ，２ｃの外側端部１ａ，２ａの柱頭接合部材６，６及び第１〜第４の建物ユニット１〜４の突き合わされたコーナー部１０２の柱頭接合部材６・・・及び第３の建物ユニット３及び第４の建物ユニット４の隣接する上縁部３ｃ，４ｃの外側端部３ａ，４ａの柱頭接合部材６，６の挿通孔６Ｂ・・・と第１の連結部材１７１の挿通孔１７１Ｂ・・・と上階建物ユニット１３・・・の柱脚接合部材５・・・の挿通孔５Ｂ・・・とに緊締具としてのボルト７０Ａ・・・を挿通してナット７０Ｂ・・・により固定することによって、上下左右の建物ユニットが連結される。
【００４０】
以上説明した第３の実施形態に係るユニット式建物１００ｂの建物ユニットの連結構造によれば、折曲部１７１Ｃにより、第１の建物ユニット１及び第２の建物ユニット２と、第３の建物ユニット３及び第４の建物ユニット４と、上階建物ユニット１３・・・との連結が補強されるので、第１の連結部材１７１は、建物ユニットをより強固に連結することができる。
また、折曲部１７１Ｃは、当該第１の連結部材１７１の幅方向端部が延出して折り曲げられて構成されるので、第１の連結部材１７１の構造を簡単なものとすることができる。従って、さほどコストをかけずに第１の連結部材１７１を作製することができる。
【００４１】
（第４の実施形態）
本発明の第４の実施形態に係るユニット式建物１００ｃは、図５に示すように、第１の連結部材１７２の構成のみが第２の実施形態のユニット式建物１００ａと異なるため、第２の実施形態のユニット式建物１００ａと同様の構成については、同一符号を付すとともに、その説明を省略する。
そして、第１〜第４の建物ユニット１〜４及び上階建物ユニット１３・・・は、第１の連結部材１７２と第２の連結部材８等で連結される。
【００４２】
本発明に係る連結部材としての第１の連結部材１７２は、図５に示すように、第２の実施形態に係る第１の連結部材１７と同様の形状を有する略Ｌ字形の平板であって、第１の建物ユニット１及び第２の建物ユニット２と、第３の建物ユニット３及び第４の建物ユニット４との間に位置する部分に、当該第１の連結部材１７２の長手方向に沿ったリブ１７２Ｃ（強化部）を備えており、この部分が他の部分よりも強度が高められて強化されている。当該リブ１７２Ｃの幅は、第１の建物ユニット１及び第３の建物ユニット３と第２の建物ユニット２及び第４の建物ユニット４との間に入り込めるような寸法になっている。
また、第１の連結部材１７２は、第１の連結部材１７２を柱頭接合部材６上に載置する位置を決める位置決め孔１７２Ａと、第１の連結部材１７２を柱頭接合部材６及び上階建物ユニット１３の柱脚接合部材５と緊結するための挿通孔１７２Ｂとを備えている。
まず、図５に示すように、第１の建物ユニット１及び第２の建物ユニット２の隣接する上縁部１ｃ，２ｃの外側端部１ａ，２ａの柱頭接合部材６，６及び第１〜第４の建物ユニット１〜４の突き合わされたコーナー部１０２の柱頭接合部材６・・・及び第３建物ユニット３及び第４の建物ユニット４の隣接する上縁部３ｃ，４ｃの外側端部３ａ，４ａの柱頭接合部材６，６の位置決めピン６Ａ・・・を、第１の連結部材１７２の位置決め孔１７２Ａ・・・及び上階建物ユニット１３・・・の柱脚接合部材５・・・の位置決め孔（図示省略）へ嵌合する。つぎに、第１の建物ユニット１及び第２の建物ユニット２の隣接する上縁部１ｃ，２ｃの外側端部１ａ，２ａの柱頭接合部材６，６及び第１〜第４の建物ユニット１〜４の突き合わされたコーナー部１０２の柱頭接合部材６・・・及び第３建物ユニット３及び第４の建物ユニット４の隣接する上縁部３ｃ，４ｃの外側端部３ａ，４ａの柱頭接合部材６，６の挿通孔６Ｂ・・・と第１の連結部材１７２の挿通孔１７２Ｂ・・・と上階建物ユニット１３・・・の柱脚接合部材５・・・の挿通孔５Ｂ・・・とに緊締具としてのボルト７０Ａ・・・を挿通してナット７０Ｂ・・・により固定することによって、上下左右の建物ユニットが連結される。
【００４３】
以上説明した第４の実施形態に係るユニット式建物１００ｃの建物ユニットの連結構造によれば、折曲部１７２Ｃにより、第１の建物ユニット１及び第２の建物ユニット２と、第３の建物ユニット３及び第４の建物ユニット４と、上階建物ユニット１３・・・との連結が補強されるので、第１の連結部材１７２は、建物ユニットをより強固に連結することができる。
また、リブ１７２Ｃは、当該第１の連結部材１７２に溶接等により設けられるので、第１の連結部材１７２の構造を簡単なものとすることができる。従って、さほどコストをかけずに第１の連結部材１７２を作製することができる。
【００５６】
なお、本発明の第１〜第４の実施形態においては、第１の連結部材７，１７，１７１，１７２を剛性材料からなる略L字形の平板としたが、第１の建物ユニット１の第２の建物ユニット２に隣接する上縁部１ｃと第２の建物ユニット２の上縁部２ｃを連結する連結部７ａ又は、第１の建物ユニット１の第２の建物ユニット２に隣接する上縁部１ｃ及び第２の建物ユニット２の上縁部２ｃと第３の建物ユニット３の第４の建物ユニット４に隣接する上縁部３ｃと第４の建物ユニット４の上縁部４ｃとを連続して連結する連結部１７ａ，１７１ａ，１７２ａを備え、該連結部７ａ，１７ａ，１７１ａ，１７２ａから第２の建物ユニット２の上縁部２ｃの外側端部２ａまで延出して第２の建物ユニット２の突出部２ｆを補強する補強部７ｂ，１７ｂ，１７１ｂ，１７２ｂを備えるものであれば、第１の連結部材の形状は略L字形でなくとも良い。
また、本実施形態における第１の連結部材７，１７，１７１，１７２は柱脚接合部材５及び柱頭接合部材６を介して第１〜第４の建物ユニット１〜４及び上階建物ユニット１３・・・を連結するように構成したが、並設される建物ユニットの隣り合う柱１１を直接連結することにより第１〜第４の建物ユニット１〜４及び上階建物ユニット１３・・・を連結するものであっても良い。
【図面の簡単な説明】
【００５７】
【図１】本発明の第１の実施形態に係るユニット式建物の基礎及び建物ユニットの柱、床梁、天井梁等からなる骨組を示す斜視図である。
【図２】本発明の第１の実施形態に係る連結部材を用いた建物ユニットの連結構造を示す斜視図である。
【図３】本発明の第２の実施形態に係るユニット式建物の基礎及び建物ユニットの柱、床梁、天井梁等からなる骨組を示す斜視図である。
【図４】本発明の第３の実施形態に係る連結部材を用いた建物ユニットの連結構造を示す斜視図である。
【図５】本発明の第４の実施形態に係る連結部材を用いた建物ユニットの連結構造を示す斜視図である。
【図６】従来の工法によるユニット式建物の基礎及び建物ユニットの柱、床梁、天井梁等からなる骨組を示す斜視図である。
【図７】従来の工法によるユニット式建物の基礎及び建物ユニットの柱、床梁、天井梁等からなる骨組を示す斜視図である。
【符号の説明】
【００５８】
１ 第１の建物ユニット
１ａ 外側端部
１ｂ 内側端部
１ｃ 上縁部
２ 第２の建物ユニット
２ａ 外側端部
２ｂ 内側端部
２ｃ 上縁部
２ｆ 突出部
３ 第３の建物ユニット
３ａ 外側端部
３ｂ 内側端部
３ｃ 上縁部
４ 第４の建物ユニット
４ａ 外側端部
４ｂ 内側端部
４ｃ 上縁部
７、１７、１７１、１７２ 第１の連結部材（連結部材）
７ａ、１７ａ、４０１ 連結部
７ｂ、１７ｂ、３０４、４０２ 補強部
１７１Ｃ 折曲部（強化部）
１７２Ｃ リブ（強化部）
７０Ａ ボルト
７０Ｂ ナット
１００、１００ａ、１００ｂ、１００ｃ  ユニット式建物
１０２ コーナー部
【図１】
0004759240.tif 000002
【図２】
0004759240.tif 000003
【図３】
0004759240.tif 000004
【図４】
0004759240.tif 000005
【図５】
0004759240.tif 000006
【図６】
0004759240.tif 000007
【図７】
0004759240.tif 000008